(57)【要約】      （修正有）【課題】異音の発生を防ぐことのできるエレベータのガイド装置の提供。【解決手段】昇降体に取付けられ、昇降路に立設されたガイドレールにシューを摺動させ、昇降体の昇降を案内するエレベータのガイド装置において、シューを、２３〜２４重量パーセントの超高分子ポリエチレンと、６９〜７２重量パーセントの６６ナイロンと、２〜４重量パーセントの高濃度シリコーンオイルと、１〜２重量パーセントの低濃度シリコーンオイルと、１〜２重量パーセントのシリコーンパウダとで形成し、シューの摩擦係数を低減するとともに、一定の摩擦係数を保持可能としたものである。【選択図】図３
2011032078.tif 000002
【特許請求の範囲】
【請求項１】
昇降体に取付けられ、昇降路に立設されたガイドレールにシューを摺動させ、前記昇降体の昇降を案内するエレベータのガイド装置において、
前記シューが、２３〜２４重量パーセントの超高分子ポリエチレンと、６９〜７２重量パーセントの６６ナイロンを主成分とし、それ以外にシリコーンを配合し形成されることを特徴としたエレベータのガイド装置。
【請求項２】
前記シリコーンは、２〜４重量パーセントの高濃度シリコーンオイルと、１〜２重量パーセントの低濃度シリコーンオイルと、１〜２重量パーセントのシリコーンパウダからなることを特徴とした請求項１記載のエレベータのガイド装置。
【発明の詳細な説明】
【技術分野】
【０００１】
本発明は、昇降路に立設されたガイドレールにシューを摺動させ、昇降体の昇降を案内するエレベータのガイド装置に関する。
【背景技術】
【０００２】
従来、エレベータのガイド装置に備えられるシューを、２０〜２５重量パーセントの超高分子ポリエチレンと、６５〜７５重量パーセントの６ナイロンと、５〜１０重量パーセントのガラス繊維とで形成し、静止摩擦係数と動摩擦係数との値の差を小さくして乗り心地の向上を図ったものが提案されている（例えば、特許文献１参照）。
【先行技術文献】
【特許文献】
【０００３】
【特許文献１】特開２００５−２３９３７８（段落番号００１４、図２）
【発明の概要】
【発明が解決しようとする課題】
【０００４】
しかしながら、前述した従来のものでは、図４に示すように、シューのガイドレールに対する摩擦係数が経時的に高くなり、シューの摺動に応じて異音、いわゆる鳴きが発生するという問題があった。なお、図４は従来のシューの摩擦係数の経時的変化を示す説明図であり、図中、縦軸がシューの摩擦係数、横軸が昇降体の走行回数を表している。この図４から明らかなように、走行回数、すなわちシューの摺動回数が増えるごとに摩擦係数が上昇し始め、ある摺動回数から摩擦係数が上昇したところで一定値となり、鳴きが発生するようになる。
【０００５】
本発明は、前述した従来技術における実状からなされたもので、その目的は、異音の発生を防ぐことのできるエレベータのガイド装置を提供することにある。
【課題を解決するための手段】
【０００６】
前記目的を達成するために、本発明の請求項１に係る発明は、昇降体に取付けられ、昇降路に立設されたガイドレールにシューを摺動させ、前記昇降体の昇降を案内するエレベータのガイド装置において、前記シューが、２３〜２４重量パーセントの超高分子ポリエチレンと、６９〜７２重量パーセントの６６ナイロンを主成分とし、それ以外にシリコーンを配合し形成されることを特徴としている。
【０００７】
このように構成した本発明の請求項１に係る発明では、ガイド装置のシューを、２３〜２４重量パーセントの超高分子ポリエチレンと、６９〜７２重量パーセントの６６ナイロンとを主成分とし、それ以外にシリコーンを配合し形成することにより、摩擦係数を低減するとともに、一定の摩擦係数を保持することができ、これによって、異音の発生を防ぐことができる。
【０００８】
また、本発明の請求項２に係る発明は、前記シリコーンは、２〜４重量パーセントの高濃度シリコーンオイルと、１〜２重量パーセントの低濃度シリコーンオイルと、１〜２重量パーセントのシリコーンパウダからなることを特徴としている。
【０００９】
このように構成した本発明の請求項２に係る発明では、ガイド装置のシューを、２２〜２４重量パーセントの超高分子ポリエチレンと、６９〜７２重量パーセントの６６ナイロンと、２〜４重量パーセントの高濃度シリコーンオイルと、１〜２重量パーセントの低濃度シリコーンオイルと、１〜２重量パーセントのシリコーンパウダとで形成することにより、確実に摩擦係数を低減するとともに、一定の摩擦係数を保持することができ、これによって、異音の発生を防ぐことができる。
【発明の効果】
【００１０】
本発明によれば、シューの摩擦係数を低減するとともに、一定の摩擦係数を保持することで、ガイドレールへの摺動に伴う異音の発生を防ぎ、エレベータの利用環境を快適なものとすることができる。
【図面の簡単な説明】
【００１１】
【図１】本発明に係るエレベータのガイド装置の一実施例を示す斜視図である。
【図２】本実施例に係るガイド装置の詳細図である。
【図３】本実施例に係るガイド装置に備えられたシューの摩擦係数の経時的変化を示す説明図である。
【図４】従来のシューの摩擦係数の経時的変化を示す説明図である。
【発明を実施するための形態】
【００１２】
以下、本発明に係るエレベータのガイド装置の実施例を図に基づいて説明する。
【００１３】
エレベータには、図１に示すように、昇降体、例えば乗かご１に取付けられ、この乗かご１の昇降を案内するガイド装置２が設けられているとともに、ガイド装置２には、昇降路に立設されたガイドレール３に摺動するシューが備えられている。図２に示すように、シュー２１は、略コの字状の断面形状を有しており、凹部をガイドレール３に挟装させた状態で移動することで乗かご１の昇降を案内するようになっている。
【００１４】
そして、本実施例では、ガイド装置２のシュー２１を、例えば、２３．５重量パーセントの超高分子ポリエチレンと、７０．５重量パーセントの６６ナイロンと、３重量パーセントの高濃度シリコーンオイルと、１．５重量パーセントの低濃度シリコーンオイルと、１．５重量パーセントのシリコーンパウダとで形成している。
【００１５】
ここで、図３に基づきシュー２１の摩擦係数、および摩擦係数の経時的変化を説明する。なお、図３の縦軸がシュー２１の摩擦係数、横軸が乗かご１の走行回数を表している。そして、図示のように、本実施例のシュー２１が、摩擦係数を従来のものと比べて低い値とし、かつ一定の摩擦係数を保持できることを見て取ることができる。
【００１６】
本実施例によれば、シュー２１の摩擦係数を低減するとともに、一定の摩擦係数を保持することで、ガイドレール３への摺動に伴う異音の発生を防ぎ、エレベータの利用環境を快適なものとすることができる。
【００１７】
なお、本実施例では、ガイド装置のシュー２１を、例えば、２３．５重量パーセントの超高分子ポリエチレンと、７０．５重量パーセントの６６ナイロンと、３重量パーセントの高濃度シリコーンオイルと、１．５重量パーセントの低濃度シリコーンオイルと、１．５重量パーセントのシリコーンパウダとで形成したが、本発明はこの値に限らず、シューを、２３〜２４重量パーセントの超高分子ポリエチレンと、６９〜７２重量パーセントの６６ナイロンとを主成分とし、それ以外にシリコーンを配合し形成することで所望の効果を得ることができる。また、この際、前述したシリコーンを、２〜４重量パーセントの高濃度シリコーンオイルと、１〜２重量パーセントの低濃度シリコーンオイルと、１〜２重量パーセントのシリコーンパウダとすることで、摩擦係数の低減、および一定の摩擦係数の保持の観点からより適したシューとすることができる。
【符号の説明】
【００１８】
１  乗かご（昇降体）
２  ガイド装置
２１  シュー
３  ガイドレール
【図３】
2011032078.tif 000003
【図４】
2011032078.tif 000004
【図１】
2011032078.tif 000005
【図２】
2011032078.tif 000006